(57)【特許請求の範囲】
【請求項１】
固体物を固定する受皿部材と、当該受皿部材を収納する凹所が形成された容器本体と、前記凹所の上端開口を開閉可能な蓋体とを備え、受皿部材と容器本体との間に衝撃吸収部材が配置されたコンパクト容器であって、
前記衝撃吸収部材は、前記容器本体の凹所に吊下げ保持される周壁を有しその内側に前記受皿部材を収納する吊下げ部と、
当該吊下げ部に掛け渡される連結部にそれぞれ互いに前記受皿部材を押圧して当該受皿部材を吊り下げ保持する突起が設けられた支持部とを備えるものであることを特徴とするコンパクト容器。
【請求項２】
請求項１において、前記突起は、横方向に伸びる扁平な突起であることを特徴とするコンパクト容器。
【請求項３】
請求項１又は２において、前記受皿部材に、前記突起の先端を引っ掛ける窪みを設けたことを特徴とするコンパクト容器。
【請求項４】
請求項１乃至３のいずれか１項において、前記容器本体に、前記衝撃吸収部材を覆うカバーを備えた中枠部材を設けたことを特徴とするコンパクト容器。
【請求項５】
請求項１乃至４のいずれか１項において、前記衝撃吸収部材及び前記容器本体にそれぞれ、互いに嵌合する凹部及び凸部からなる回り止め手段を設けたことを特徴とするコンパクト容器。
【発明の詳細な説明】
【技術分野】
【０００１】
本発明は、固体物を固定する受皿部材と、当該受皿部材を収納する凹所が形成された容器本体と、前記凹所の上端開口を開閉可能な蓋体とを備え、受皿部材と容器本体との間に衝撃吸収部材が配置されたコンパクト容器に関するものである。
【背景技術】
【０００２】
コンパクト容器は化粧料容器に用いられることが一般的であるが、受皿部材に固定される固形化粧料は、簡単に塗布できるように崩れ易くできている。このため、従来から、受皿部材と容器本体との間に衝撃吸収部材を配置したものが既知である。こうした衝撃吸収部材としては、容器本体の凹所底面と受皿部材の底部との間に空洞を形成するように中空凸状に形作られたクッション部を有し、受皿部材の側壁をフランジ部で保持して当該側壁との間に隙間を形成するものがある（例えば、特許文献１参照）。
【先行技術文献】
【特許文献】
【０００３】
【特許文献１】特開２０１０−１７８８９８号公報
【発明の概要】
【発明が解決しようとする課題】
【０００４】
しかしながら、上述したクッション部は、容器本体の凹所底面と受皿部材の底部との間に空洞を形成するにすぎないため、コンパクト容器が落下等によって強い衝撃を受けることで空洞が潰れることがある。このため、従来のコンパクト容器は、依然として、固形化粧料に亀裂や欠けを生じさせることがあった。
【０００５】
本発明の目的とするところは、受皿部材が受ける衝撃を効果的に吸収することで、受皿部材に固定された固体物に亀裂や欠けを生じさせない新規なコンパクト容器を提供することにある。
【課題を解決するための手段】
【０００６】
本発明は、固体物を固定する受皿部材と、当該受皿部材を収納する凹所が形成された容器本体と、前記凹所の上端開口を開閉可能な蓋体とを備え、受皿部材と容器本体との間に衝撃吸収部材が配置されたコンパクト容器であって、
前記衝撃吸収部材は、前記容器本体の凹所に吊下げ保持される周壁を有しその内側に前記受皿部材を収納する吊下げ部と、
当該吊下げ部に掛け渡される連結部にそれぞれ互いに前記受皿部材を押圧して当該受皿部材を吊り下げ保持する突起が設けられた複数の支持部とを備えるものであることを特徴とするものである。
【０００７】
吊下げ部及び支持部は、インサート成形や二色成形（ダブルモールド）などによって成形することができる。前記突起は、横方向に伸びる扁平な突起とすることができる。
【０００８】
前記受皿部材には、前記突起の先端を引っ掛ける窪みを設けることが好ましい。
【０００９】
前記容器本体に、前記支持部を覆うカバーを備えた中枠部材を設けることが好ましい。
【００１０】
前記衝撃吸収部材及び前記容器本体にはそれぞれ、互いに嵌合する凹部及び凸部からなる回り止め手段を設けることができる。なお、本発明において、「凹部」とは、単なる「凹み」だけでなく、「切り欠き部」や「溝」等も含む意味である。
【発明の効果】
【００１１】
本発明では、衝撃吸収部材は、容器本体の凹所に吊下げ部で保持されるとともに、この吊下げ部に複数の支持部を掛け渡し、当該支持部の突起が受皿部材を吊り下げ保持したものであるから、当該受皿部材を、容器本体の凹所底面に接触させることなく、容器本体の凹所に配置することができる。
【００１２】
即ち、受皿部材は、衝撃吸収部材によって凹所の上端開口や容器本体の内側面及び底面は勿論、吊下げ部に対しても離間した状態に支持される。このため、容器本体からの衝撃は、吊下げ部から受皿部材を押圧する支持部を通して伝わるので、クッションのように空洞が潰れて受皿部材が容器本体の凹所底面に接触することにより、受皿部材が容器本体からの衝撃を直接受けることがない。
【００１３】
しかも、支持部は、吊下げ部に掛け渡される複数の連結部から突起を突出させ、当該突起で受皿部材を吊り下げ保持することから、容器本体が前後左右上下のいずれから衝撃を受けても、その衝撃は、吊下げ部に加えて、支持部の突起が連結部とともに吸収し又は分散させることができる。このため、受皿部材が吊下げ部を通して受ける衝撃も小さく抑えることができる。
【００１４】
従って、本発明によれば、受皿部材が受ける衝撃を効果的に吸収することで、受皿部材に固定された固体物に亀裂や欠けを生じさせない新規なコンパクト容器を提供することができる。
【図面の簡単な説明】
【００１５】
【図１】本発明の第１の形態である、化粧用コンパクト容器の前後方向を示す縦断面図である。
【図２】同形態に係る、衝撃吸収部材の平面図である。
【図３】同形態にて、衝撃吸収部材を容器本体に対して回り止めするための方法を説明するための要部断面斜視図である。
【発明を実施するための形態】
【００１６】
以下、図面を参照して、本発明の一形態である、化粧用コンパクト容器を詳細に説明する。
【００１７】
図１は、本発明の第１の形態である、化粧用コンパクト容器１０である。符号１１は、受皿部材である。受皿部材１１は、横断面が円形の周壁１１ａの下端に底壁１１ｂを一体に設け、その内側に、固体物たる固形化粧料Ｓを固定保持する。また周壁１１ａには、全周に亘って環状の窪み１１ｃが形成されている。
【００１８】
符号１２は、容器本体である。容器本体１２は、横断面が円形の周壁１２ａの下端に底壁１２ｂを一体に設け、その内側には、受皿部材１１を収納する凹所Ｃ１が形成されている。凹所Ｃ１は、周壁１２ａの内周面１２ｆ1から内側に膨出する複数の膨出部１２ｃで形成されている。膨出部１２ｃは、内周面１２ｆ1に沿って、その周方向に間隔を置いて配置されている。
【００１９】
また図１中、符号１３は、凹所Ｃ１の上端開口を開閉可能な蓋体である。蓋体１３は、容器本体１２に対してピンＰを介して連結されている。蓋体１３は、外蓋体１３ａと内蓋体１３ｂからなる。内蓋体１３ｂの内側には鏡１９が固定されている。
【００２０】
符号Ｍは、受皿部材１１と容器本体１２との間に配置された衝撃吸収部材である。衝撃吸収部材Ｍは、容器本体１２に吊下げ保持される吊下げ部１４と、受皿部材１１を吊下げ保持する支持部１５からなる。
【００２１】
吊下げ部１４は、横断面が円形の周壁１４ａの下端に底壁１４ｂを一体に設け、その内側に、受皿部材１１を収納する凹所Ｃ２を形成する。周壁１４ａは、図１に示すように、膨出部１２ｃの内側面１２ｆ2との間に隙間を形成する。
【００２２】
また、吊下げ部１４には、図２に示すように、凹所Ｃ２を外界に通じさせる複数（本形態では３つ）の開口部Ａ０が形成されている。開口部Ａ０は、底壁１４ｂとともに周壁１４ａの一部を取り除いた食い切り孔として形成されている。このため、実質的には、周壁１４ａは、周方向に間隔を置いて配置される複数の側壁としてなる。
【００２３】
また、吊下げ部１４は、周壁１４ａの上端を周方向に沿って延在する複数（本形態では３つ）の張り出し部１４ｃを有する。張り出し部１４ｃは、図１に示すように、容器本体１２の膨出部１２ｃの上端１２ｅに固定されることで、吊下げ部１４を容器本体１２の凹所Ｃ１に吊下げ保持する。
【００２４】
支持部１５は、吊下げ部１４に対して受皿部材１１を吊り下げ保持する。支持部１５は、図２に示すように、開口部Ａ０に掛け渡される連結部１５ａを有し、周壁１４ａに対して一体に設けられている。連結部１５ａは、図１に示すように、扁平な断面を有した帯状の連結部である。連結部１５ａの下端側には、軸線Ｏに向かって指向する突起１５ｂが一体に設けられている。突起１５ｂはそれぞれ、互いに受皿部材１１の周壁１１ａを軸線Ｏに向かって押圧することで、図１に示すように、当該受皿部材１１を、吊下げ部１４の凹所底面１４ｆ3よりも上方に吊り下げ保持する。
【００２５】
支持部１５は、例えば、エラストマやゴム等の可撓性を有する材料からなる。また、吊下げ部１４及び支持部１５は、例えば、インサート成形や二色成形（ダブルモールド）などによって、衝撃吸収部材Ｍとして一体に成形されている。
【００２６】
本形態では、衝撃吸収部材Ｍは、容器本体１２の凹所Ｃ１に吊下げ部１４で保持されるとともに、この吊下げ部１４の開口部Ａ０に複数の支持部１５を掛け渡し、当該支持部１５の突起１５ｂが受皿部材１１の周壁１１ａを吊り下げ保持したものであるから、当該受皿部材１１を、吊下げ部１４の凹所底面１４ｆ3は勿論、容器本体１２の凹所底面１２ｆ3に接触させることなく、容器本体１２の凹所Ｃ１に配置することができる。
【００２７】
即ち、受皿部材１１は、衝撃吸収部材Ｍによって凹所Ｃ１の上端開口や容器本体１２の内側面１２ｆ2及び底面１２ｆ3は勿論、吊下げ部１４に対しても離間した状態に支持される。このため、容器本体１２からの衝撃は、吊下げ部１４から受皿部材１１の周壁１１ａを押圧する支持部１５を通して伝わるので、クッションのように空洞が潰れて受皿部材１１が吊下げ部１４の凹所底面１４ｆ3は勿論、容器本体１２の凹所底面１２ｆ3に接触することにより、受皿部材１１が容器本体１２からの衝撃を直接受けることがない。
【００２８】
しかも、支持部１５は、吊下げ部１４の開口部Ａ０に掛け渡される複数の連結部１５ａから突起１５ｂを突出させ、当該突起１５ｂで受皿部材１１を吊下げ部１４の凹所底面１４ｆ3よりも上方に空間を設けて吊り下げ保持することから、容器本体１２が前後左右上下のいずれから衝撃を受けても、その衝撃は、吊下げ部１４に加えて、支持部１５の突起１５ｂが連結部１５ａとともに吸収し又は分散させることができる。このため、受皿部材１１が吊下げ部１４を通して受ける衝撃も小さく抑えることができる。
【００２９】
従って、本形態によれば、受皿部材１１が受ける衝撃を効果的に吸収することで、受皿部材１１に固定された固形化粧料Ｓに亀裂や欠けを生じさせない新規なコンパクト容器を提供することができる。
【００３０】
また、突起１５ｂは、図示のように、横（周）方向に伸びる扁平な突起として構成されている。これにより、突起１５ｂは、受皿部材１１の周壁１１ａに対して、その押圧面積が大きく確保されることから、周方向に対する保持力を高めることができる。更に、突起１５ｂの先端１５ｂ1は、周壁１１ａの外表面形状に合わせて湾曲させることにより、その押圧面積が更に大きく確保されることから、周方向に対する保持力を更に高めることができる。
【００３１】
加えて、受皿部材１１の周壁１１ａには、上述したとおり、全周に亘って環状の窪み１１ｃが形成されている。この窪み１１ｃは、図１に示すように、突起１５ｂの先端１５ｂ1を引っ掛ける窪みとして機能する。この場合、受皿部材１１は、衝撃吸収部材Ｍに対して抜け止め保持されることから、上下（軸線Ｏ）方向での保持力を高めることができる。
【００３２】
ところで、衝撃吸収部材Ｍに設けた張り出し部１４ｃは、図１に示すように、膨出部１２ｃの上端１２ｅに載せ置かれている。また、張り出し部１４ｃには、図３に示すように、切り欠き部１４ｎが形成されている。
【００３３】
一方、同図に示すように、膨出部１２ｃの上端１２ｅには、凸部１２ｐが設けられている。衝撃吸収部材Ｍは、凸部１２ｐが切り欠き部１４ｎに合わさることで、容器本体１２の凹所Ｃ１において、内側面１２ｆ2に沿って回転することがない。即ち、凸部１２ｐ及び切り欠き部１４ｎは、衝撃吸収部材Ｍを位置決めする回り止め手段として機能する。
【００３４】
また、衝撃吸収部材Ｍに設けた張り出し部１４ｃは、膨出部１２ｃの上端１２ｅに接着等の固定手段により固定することも可能であるが、本形態では、図１に示すように、容器本体１２に、中枠部材１７が設けられている。中枠部材１７は、衝撃吸収部材Ｍの張り出し部１４ｃの上端１４ｅに接触する張り出し部１７ａを有する。張り出し部１７ａは、容器本体１２の内周面１２ｆ1に嵌合させることで、容器本体１２に対して固定する。これにより、衝撃吸収部材Ｍは、中枠部材１７によって固定することができる。
【００３５】
また、張り出し部１７ａの内側には、支持部１５を覆うカバー１７ｂが一体に設けられている。カバー１７ｂは、図１に示すように、張り出し部１７ａから受皿部材１１に向かって縮径しながら延在し、その内側が開口して受皿部材１１の上端開口を開口させる。カバー１７ｂは、張り出し部１７ａとともに、支持部１５を外部からの接触や粉化した固形化粧料Ｓ等から保護することで、支持部１５の耐久性を向上させる。
【００３６】
また、張り出し部１７ａからは、筒壁１７ｃが上方に向かって拡径しながら延在し、その内側が開口して受皿部材１１の上端開口を外界に通じさせる。筒壁１７ｃには、図１に示すように、カバー１７ｂとともに、その内側にパフ等の化粧道具Ｔを収納するための空間を形成する。また、筒壁１７ｃには、同図に示すように、蓋体１３に設けたフック１３ｆに引っ掛かって蓋体１３の開放を阻止するフック１７ｆとともに、これらフック１３ｆ及び１７ｆの引っ掛かりを、その押し込みにより解除するフックピース１８を設けることができる。
【００３７】
また、本形態では、図１のように、容器本体１２の底壁１２ｂに、貫通孔Ａ１が形成されている。貫通孔Ａ１は、棒材を挿入することができる。棒材で貫通孔Ａ１から開口部Ａ０を通して受皿部材１１を押圧すれば、衝撃吸収部材Ｍの突起１５ｂが弾性変形することにより、衝撃吸収部材Ｍから受皿部材１１を取り外すことができる。これにより、本形態に係る、コンパクト容器１０は、受皿部材１１を衝撃吸収部材Ｍから着脱させることによって、新たな化粧料を収納した受皿部材を付替えるレフィル容器として機能する。
【００３８】
特に容器本体１２に形成した貫通孔Ａ１は、容器本体１２と蓋体１３との間に外気を導入するため、容器本体１２と蓋体１３との間が密閉された場合に、その負圧によって生じる衝撃吸収部材Ｍの機能低下を防止するのに有効である。
【００３９】
上述したところは、本発明の一形態を示したにすぎず、特許請求の範囲において、種々の変更を加えることができる。例えば、衝撃吸収部材Ｍの吊下げ部１４は、周壁１４ａに対して開口部Ａ０を窓のように構成すれば、底壁１４ｂを省略することもできる。また、支持部１５の突起１５ｂは、連結部１５ａの下端側に設けたが、連結部１５ａに対する配置は、適宜変更することができる。更に連結部１５ａは、突起１５ｂよりも幅広な帯状のものではなく、突起１５ｂと同一厚さに構成することができる。加えて、衝撃吸収部材Ｍの平面形状は、円形だけでなく、矩形など、受皿部材１１の平面形状に応じて適宜変更することができる。
【００４０】
更に、蓋体１３は、例えば、ピンＰにねじりばねを設けることで、フックピース１８を操作してフックを解除したのちは、自動的に開くように構成することができる。
【産業上の利用可能性】
【００４１】
本発明は、固体物を固定する受皿部材と、当該受皿部材を収納する凹所が形成された容器本体と、前記凹所の上端開口を開閉可能な蓋体とを備え、受皿部材と容器本体との間に衝撃吸収部材が配置されるコンパクト容器であれば、様々なものに適用することができる。
【符号の説明】
【００４２】
１０    コンパクト容器
１１    受皿部材
１１ａ  周壁
１１ｂ  底壁
１２    容器本体
１２ａ  周壁
１２ｂ  底壁
１２ｃ  膨出部
１２ｆ1 容器本体周壁内周面
１２ｆ2 膨出部内側面
１２ｆ3 凹所底面
１３    蓋体
１３ｆ  フック
１４    吊下げ部
１４ａ  周壁
１４ｂ  底壁
１４ｃ  張り出し部
１５    支持部
１５ａ  連結部
１５ｂ  突起
１５ｂ1 突起先端
１７    中枠部材
１７ａ  張り出し部
１７ｂ  カバー
１７ｃ  筒壁
１７ｆ  フック
１８    フックピース
１９    鏡
Ａ０    開口部
Ａ１    貫通孔（容器本体）
Ｍ      衝撃吸収部材
【図１】
0005840515.tif 000002
【図２】
0005840515.tif 000003
【図３】
0005840515.tif 000004